(57)【要約】      （修正有）【課題】患者の乳房を適切に保持した状態でＣＴ撮影を行うことができる乳房撮影装置を提供する。【解決手段】放射線を発生させる放射線発生部１０と、放射線発生部１０から照射された放射線を検出する放射線検出部１２とを有したガントリ３０を備え、放射線発生部１０と放射線検出部１２を対向させた状態で回転させることが可能な乳房撮影装置であって、ガントリ３０を床面に対して支持する支持脚部４０を備え、支持脚部４０は、被検者の足を挿入するための切り欠き部を有している。【選択図】図１
2017012447.tif 000002
【特許請求の範囲】
【請求項１】
放射線を発生させる放射線発生部と、前記放射線発生部から照射された放射線を検出する放射線検出部とを有したガントリを備え、前記放射線発生部と前記放射線検出部を対向させた状態で回転させることが可能な乳房撮影装置であって、
前記ガントリを床面に対して支持する支持脚部を備え、
前記支持脚部は、被検者の足を挿入するための切り欠き部を有していることを特徴とする乳房撮影装置。
【請求項２】
前記支持脚部は、鉛直方向に伸張して形成された長円筒部と、前記長円筒部と連結され、床面に接する台座部とから形成されていることを特徴とする請求項１に記載の乳房撮影装置。
【請求項３】
前記長円筒部の底面部の周囲から外側にはみ出すように、前記台座部が形成されていることを特徴とする請求項１に記載の乳房撮影装置。
【請求項４】
前記切り欠き部は、所定側の前記台座部の一部が切り取られて形成されていることを特徴とする請求項２に記載の乳房撮影装置。
【請求項５】
前記切り欠き部は、所定側の前記長円筒部の一部が前記台座部の一部とともに切り取られて形成されていることを特徴とする請求項２に記載の乳房撮影装置。
【請求項６】
前記切り欠き部は、前記台座部において床面がむき出しになるように形成されていることを特徴とする請求項４に記載の乳房撮影装置。
【請求項７】
前記所定側とは、ＣＴ撮影を行う際に被検者が配置されるＣＴ撮影側であることを特徴とする請求項４又は５に記載の乳房撮影装置。
【請求項８】
マンモ撮影を行う際に被検者が配置されるマンモ撮影側には前記切り欠き部が前記支持脚部に設けられていないことを特徴とする請求項７に記載の乳房撮影装置。
【請求項９】
前記切り欠き部は、前記切り欠き部の奥端面から拡開して形成されていることを特徴とする請求項１に記載の乳房撮影装置。
【請求項１０】
放射線を発生させる放射線発生部と、前記放射線発生部から照射された放射線を検出する放射線検出部とを有したガントリと、前記ガントリを床面に対して支持する支持脚部とを備え、前記放射線発生部と前記放射線検出部を対向させた状態で回転させることが可能な乳房撮影装置であって、
前記被検者の乳房を前記放射線発生部と前記放射線検出部との間に挿入させた状態で前記放射線発生部と前記放射線検出部を回転させて撮影する際に被検者が配置されるＣＴ撮影側の前記支持脚部には、前記被検者の足を挿入するための切り欠き部が形成されていることを特徴とする乳房撮影装置。
【請求項１１】
被検者の乳房を圧迫板と前記放射線検出部との間に挟んだ状態で前記放射線発生部と前記放射線検出部を用いて撮影する際に被検者が配置されるマンモ撮影側の前記支持脚部には、前記被検者の足を挿入するための切り欠き部が形成されていないことを特徴とする請求項１０に記載の乳房撮影装置。
【発明の詳細な説明】
【技術分野】
【０００１】
本発明は、放射線を用いて乳房撮影を行う乳房撮影装置に関する。
【背景技術】
【０００２】
乳房撮影装置として、放射線を発生させる放射線発生部と放射線を検出する放射線検出部を用いて乳房を撮影する装置がある。
また、同じ乳房撮影装置でマンモ撮影とＣＴ撮影の両方の撮影を行うことが行われている。（例えば、特許文献１）
【先行技術文献】
【特許文献】
【０００３】
【特許文献１】特表２０１３−５３８６６８公報
【発明の概要】
【発明が解決しようとする課題】
【０００４】
特許文献１の乳房撮影装置では、ＣＴ撮影を行う場合、２つのプレートとの間で、患者の乳房を固定している。よって、乳房を適切に保持した状態で撮影を行うことが困難である。
本発明は、患者の乳房を適切に保持した状態でＣＴ撮影を行うことができる乳房撮影装置を提供することを目的とする。
【課題を解決するための手段】
【０００５】
本発明の目的を達成するために、放射線を発生させる放射線発生部と、放射線発生部から照射された放射線を検出する放射線検出部とを有したガントリを備え、放射線発生部と放射線検出部を対向させた状態で回転させることが可能な乳房撮影装置であって、ガントリを床面に対して支持する支持脚部を備え、支持脚部は、被検者の足を挿入するための切り欠き部を有している。
【発明の効果】
【０００６】
本発明によれば、患者の乳房を適切に保持した状態でＣＴ撮影を行うことができる。
【図面の簡単な説明】
【０００７】
【図１】本発明の乳房撮影装置の外観を示す図。
【図２】ＣＴ撮影側から見た本発明の乳房撮影装置の外観を示す図。
【図３】本発明の乳房撮影装置の断面図。
【図４】マンモ撮影側から見た本発明の乳房撮影装置の外観を示す図。
【図５】本発明の乳房撮影装置の構成を示す図。
【図６】本発明の乳房撮影装置の上下駆動部の構成を示す図。
【図７】本発明の乳房撮影装置の回転駆動部による回転形態を示す図。
【図８】本発明の乳房撮影装置のガントリからフロントカバーが取り外された形態を示す図。
【図９】乳房を保護するための保護カバーが乳房保持部に設置された形態を示す図。
【図１０】本発明の乳房撮影装置の支持脚部を示す図。
【図１１】ＣＴ撮影を行う被検者の撮影形態を示す図。
【図１２】マンモ撮影を行う被検者の撮影形態を示す図。
【図１３】本発明の乳房撮影装置の操作部のボタン構成を示す図。
【図１４】本発明の乳房撮影装置の操作卓を示す図。
【発明を実施するための形態】
【０００８】
図１は、乳房撮影装置１００の外観を示す図である。乳房撮影装置１００は、マンモ撮影とＣＴ撮影を行うことができる。マンモ撮影とＣＴ撮影を行う際、被検者は立位である。立位とは、被検者は、床面に両足が置かれ、床面に立った状態である。つまり、乳房撮影装置１００は、立位用の乳房撮影装置である。
【０００９】
乳房撮影装置１００は、放射線を発生する放射線発生部１０と、放射線発生部１０から照射された放射線を検出する放射線検出部１２と、放射線発生部１０と放射線検出部１２を対向させた状態で回転させることが可能である。撮影部１０２は、主に放射線発生部１０と放射線検出部１２とからなる。
【００１０】
そして、乳房撮影装置１００における第１の側から被検者の撮影対象部位（乳房）を圧迫板１４で挟んだ状態で撮影する。ここでは、撮影対象部位（乳房）を圧迫板１４と放射線検出部１２との間に挟む。なお、放射線検出部１２の上面にグリッド（図示しない。）を備え、被検者の撮影対象部位（乳房）を圧迫板１４とグリッドとの間に挟んだ状態で撮影してもよい。つまり、乳房撮影装置１００は、マンモ撮影モードの第１の撮影手段を有している。そして、乳房撮影装置１００における第１の側と反対の第２の側から被検者の撮影対象部位（乳房）を放射線発生部１０と放射線検出部１２との間に挿入させた状態で放射線発生部１０と放射線検出部１２を回転させて撮影する。つまり、乳房撮影装置１００は、ＣＴ撮影モードの第２の撮影手段を有している。
【００１１】
乳房撮影装置１００は、放射線発生部１０と放射線検出部１２を回転可能に支持するガントリ３０と、床面に対してガントリ３０を支持する支持脚部４０を備えている。すなわち、ガントリ３０は、撮影部１０２を回転可能に支持する。
【００１２】
マンモ撮影を行う場合、乳房撮影装置１００における第１の側（図中右側）から被検者の撮影対象部位（乳房）を圧迫板１４と放射線検出部１２との間に挟んだ状態で撮影する。圧迫板１４は、透明な材質であり、放射線を透過する材質である。具体的には、圧迫板１４を上下動させることにより、被検者の乳房を圧迫板１４と放射線検出部１２との間に挟むことができる。圧迫板１４と放射線検出部１２との間に被検者の乳房を挟んだ状態で、放射線発生部１０によって放射線を発生させる。放射線検出部１２が被検者の乳房を透過した放射線を検出することにより、被検者の乳房を撮影することができる。乳房撮影装置１００は、撮影された放射線データに基づいてマンモ画像を生成することができる。
【００１３】
ＣＴ撮影を行う場合、乳房撮影装置１００における第１の側と反対の第２の側（図中左側）から被検者の撮影対象部位（乳房）を放射線発生部１０と放射線検出部１２との間に挿入する。そして、この状態で放射線発生部１０と放射線検出部１２を回転フレーム３８で回転させて撮影する。具体的には、乳房撮影装置１００のガントリ３０には、被検者の乳房を挿入するための開口２０が設置されている。被検者の乳房を開口２０に挿入させた状態で放射線発生部１０と放射線検出部１２を回転フレーム３８で回転させて撮影する。放射線発生部１０と放射線検出部１２を回転フレーム３８で回転させている間、放射線発生部１０によって放射線を発生させている。放射線検出部１２は被検者の乳房を透過した放射線を検出することにより、被検者の乳房を撮影することができる。乳房撮影装置１００は、撮影された放射線データを再構成することにより、ＣＴ画像を生成することができる。
【００１４】
乳房撮影装置１００における第１の側は、マンモ撮影側であり、乳房撮影装置１００における第２の側は、ＣＴ撮影側である。第１の側（マンモ撮影側）と第２の側（ＣＴ撮影側）を水平に結んだ線は、回転フレーム３８の回転軸と略平行になる。また、第１の側（マンモ撮影側）と第２の側（ＣＴ撮影側）を水平に結んだ線は、略平板状のガントリ３０の平面、若しくはフロントカバー２６の平面と直交する。
【００１５】
乳房撮影装置１００における第１の側（マンモ撮影側）と第２の側（ＣＴ撮影側）は、乳房撮影装置１００の略平板状のガントリ３０、フロントカバー２６、撮影部１０２によって、分割される領域である。
【００１６】
ここで、図２〜図４を用いて、乳房撮影装置１００を具体的に説明する。図２は、ＣＴ撮影側から見た乳房撮影装置１００の外観を示す図である。図３は、乳房撮影装置１００の断面図である。乳房撮影装置１００の断面図は、図２の乳房撮影装置１００の鉛直方向に伸びる中心線（一点鎖線）による断面図である。図４は、マンモ撮影側から見た乳房撮影装置１００の外観を示す図である。
【００１７】
図２に示すように、ＣＴ撮影側のガントリ３０には、ＣＴ撮影時に回転する放射線発生部１０と放射線検出部１２から被検者を保護するフロントカバー２６が設置されている。フロントカバー２６は、ＣＴ撮影を行う被検者の乳房を挿入するための開口２０を有している。また、ＣＴ撮影側のガントリ３０には、ＣＴ撮影を行う被検者が把持するための複数の把持部２２ａ、２２ｂ、２２ｃ、２２ｄが設置されている。複数の把持部２２ａ、２２ｂ、２２ｃ、２２ｄは、凹形状で形成されている。また、ＣＴ撮影側の支持脚部４０には、ＣＴ撮影を行う被検者の足を挿入するための切り欠き部４８が設置されている。
【００１８】
図４に示すように、マンモ撮影側のガントリ３０には、マンモ撮影を行う被検者の乳房を圧迫する圧迫板１４が設置されている。また、マンモ撮影側のガントリ３０には、被検者を不要な被曝から保護するための保護板４が設置されている。また、マンモ撮影側のガントリ３０には、マンモ撮影を行う被検者が把持するための把持部７０が設置されている。把持部７０は、凸形状で形成されている。また、マンモ撮影側の支持脚部４０には、マンモ撮影を行う被検者の足を挿入するための切り欠き部４８が設置されていない。
【００１９】
図５は、乳房撮影装置１００の構成図を示すものである。乳房撮影装置１００は、放射線発生部１０と放射線検出部１２を対向させた状態で放射線発生部１０と放射線検出部１２を回転させる回転駆動部１１２を備えている。また、乳房撮影装置１００は、圧迫板１４を上下動させる圧迫板駆動部１１４と、支持脚部４０に対してガントリ３０を上下動させる上下駆動部１１６とを備えている。
【００２０】
乳房撮影装置１００は、放射線発生部１０と、放射線検出部１２と、回転駆動部１１２と、圧迫板駆動部１１４と、上下駆動部１１６とをそれぞれ制御する制御部１１０を備えている。また、乳房撮影装置１００は、制御部１１０に対して指示を伝達する操作部５０、５２と操作卓９０とを備えている。ガントリ３０には、乳房撮影装置１００を操作する操作部５０が設置され、放射線検出部１２を支持する支持台２には、操作部５０と同じ機能を持つ操作部５２が設置される。また、操作卓９０は撮影室外に設置されている。
【００２１】
また、支持台２には、被検者の情報、放射線検出部１２ｂの高さ情報、放射線発生部１０ｂの線量情報、圧迫板１４による圧迫情報（Ｎ）のいずれか１つを表示する表示部が設置されていてもよい。
【００２２】
放射線発生部１０は、図示はしないが、主に電子を発生する電子放出源、ターゲットを備えている。電子放出源で発生した電子は、陰極と陽極との間の電位差により、ターゲット側に放出される。ターゲットは電子の衝突により放射線を発生する部材である。ターゲットから放射された放射線は、コーンビーム形状に成形されて外部に向けて照射される。制御部１１０は、放射線発生部１０の撮影条件を制御することができる。
【００２３】
放射線検出部１２は、被検者を透過した放射線を光電変換素子によって検出し、電気信号として出力するものである。例えば、放射線検出部１２は、被検者を透過した放射線を検出する変換パネル、蓄電部、放射線から電気信号に変換された情報を出力するためのＩ／Ｆ（インタフェース）等よりなる。Ｉ／Ｆ（インタフェース）によって、制御部１１０に電気信号を出力する。
【００２４】
＜ガントリ＞
図２〜図４に示すように、ガントリ３０は、放射線発生部１０と放射線検出部１２を対向させた状態で回転させるためのリング状の回転フレーム３８と、回転フレーム３８を回転可能に支持するリング状の固定フレーム３０ａとを有している。なお、固定フレーム３０ａは円弧状であり、回転フレーム３８の一部を回転可能に支持してもよい。また、ガントリ３０は、固定フレーム３０ａに連結された長円筒状の長円筒部３０ｂを有している。回転フレーム３８と固定フレーム３０ａは、放射線発生部１０と放射線検出部１２を回転する回転部と称することもできる。固定フレーム３０ａと長円筒部３０ｂは一体形成されている。固定フレーム３０ａの方が長円筒部３０ｂよりも上部に位置している。長円筒部３０ｂは、ガントリ３０を床面に対して支持する支持脚部４０と連結されている。
【００２５】
ガントリ３０は、被検者が立位撮影を行うことができるように、鉛直方向に立設されている。放射線発生部１０と放射線検出部１２を回転する回転部（ガントリ３０における回転フレーム３８）の回転軸は水平方向である。
【００２６】
長円筒部３０ｂは、支持脚部４０における長円筒部４２の外周を覆っている。つまり、支持脚部４０における長円筒部４２をガントリ３０における長円筒部３０ｂの内部に組み入れるようになっており、支持脚部４０における長円筒部４２とガントリ３０における長円筒部３０ｂは入れ子になっている。
【００２７】
乳房撮影装置１００は、支持脚部４０に対して長円筒部３０ｂの上下動を行う上下駆動部１１６を備えている。すなわち、乳房撮影装置１００は、ガントリ３０の上下動を行う上下駆動部１１６を備えている。
【００２８】
図６は、ガントリ３０を上下させる上下駆動部１１６の構成を示す図である。ガントリ３０の内部と支持脚部４０の内部は互いに中空になっている。ガントリ３０の内部には、円形歯車８２と、円形歯車８２を回転可能に支持する支持する支持部８０が設置されている。円形歯車８２の回転軸は、水平面に対して平行である。支持部８０は、円形歯車８２の回転軸が水平面に対して平行となるように円形歯車８２を支持する。ガントリ３０の内部には、図示はしないが、円形歯車８２を回転させる駆動部（モータ）を備えている。
【００２９】
また、支持脚部４０の内部には、平板状の棒部材８４と、棒部材８４を支持する支持部８６が設置されている。平板状の棒部材８４は、支持脚部４０の長手方向（上下方向）に沿って設置されている。支持脚部４０の長手方向は、水平面に対して直交する方向である。平板状の棒部材８４は、支持脚部４０の内部とガントリ３０の内部をまたがって設置されている。なお、乳房撮影装置１００は、ガントリ３０における長円筒部３０ｂと支持脚部４０における長円筒部４２の間の隙を埋め、ガントリ３０における長円筒部３０ｂと支持脚部４０における長円筒部４２のがたつきを抑えるための緩衝材８８を備えてもよい。
【００３０】
円形歯車８２と棒部材８４は、互いに噛み合っている。駆動部（モータ）によって、円形歯車８２に回転力を加えると棒部材８４を上下動させることができる。具体的には、駆動部（モータ）によって、円形歯車８２を左回りに回転させると、ガントリ３０に対して棒部材８４を下方向に移動させることができる。円形歯車８２を左回りに回転させると、円形歯車８２を支持する支持部８０と、棒部材８４を支持する支持部８６との距離が遠くなる。このように、上下駆動部１１６における円形歯車８２を左回りに回転させると、ガントリ３０を上方向に移動させることができる。
【００３１】
また、駆動部（モータ）によって、円形歯車８２を右回りに回転させると、ガントリ３０に対して棒部材８４を上方向に移動させることができる。円形歯車８２を右回りに回転させると、円形歯車８２を支持する支持部８０と、棒部材８４を支持する支持部８６との距離が近くなる。このように、上下駆動部１１６における円形歯車８２を右回りに回転させると、ガントリ３０を下方向に移動させることができる。
【００３２】
以上、乳房撮影装置１００は、上下駆動部１１６により、ガントリ３０を上下動させることができる。ガントリ３０を上下動させることにより、被検者の乳房の高さに合わせて、開口２０の高さを調整することができる。
【００３３】
また、ガントリ３０を上下動させることにより、被検者の乳房の高さに合わせて、圧迫板１４と放射線検出部１２との間に挟む高さを調整することができる。
【００３４】
なお、上下駆動部１１６は、上記のようにラックアンドピニオン方式の一例を示したが、カムフォロアとガイドレールの組合せなどの他の形態であってもよい。
【００３５】
＜放射線発生部と放射線検出部＞
乳房撮影装置１００は、放射線を発生させる放射線発生部１０と、放射線発生部１０から照射された放射線を検出する放射線検出部１２とを備え、放射線発生部１０と放射線検出部１２を対向させた状態で回転させることが可能である。
【００３６】
放射線発生部１０と放射線検出部１２は、ガントリ３０の固定フレーム３０ａに対して回転する回転フレーム３８に設置されている。ここでは、図３に示すように、乳房撮影装置１００は、ＣＴ撮影用の放射線発生部１０ａ及び放射線検出部１２ａと、マンモ撮影用の放射線発生部１０ｂ及び放射線検出部１２ｂとをそれぞれ備えている。ガントリ３０は、ＣＴ撮影用の放射線発生部１０ａ及び放射線検出部１２ａと、マンモ撮影用の放射線発生部１０ｂ及び放射線検出部１２ｂとをそれぞれ備えている。つまり、乳房撮影装置１００は、ＣＴ撮影用とマンモ撮影用の２組の放射線発生部及び放射線検出部を備えている。
【００３７】
ガントリ３０は、ＣＴ撮影用の放射線発生部１０ａ及び放射線検出部１２ａを対向させ、マンモ撮影用の放射線発生部１０ｂ及び放射線検出部１２ｂを対向させた状態で回転させるためのリング状の回転フレーム３８を有している。
【００３８】
具体的には、ＣＴ撮影用として、回転フレーム３８には放射線発生部１０ａと放射線検出部１２ａが設置されている。放射線検出部１２ａは、放射線検出部１２ａを支持する支持台２を介して回転フレーム３８に設置されている。
【００３９】
マンモ撮影用として、回転フレーム３８には放射線発生部１０ｂと放射線検出部１２ｂが設置されている。放射線検出部１２ｂは支持台２を介して回転フレーム３８に設置されている。
【００４０】
回転フレーム３８はベアリング構造を有した軸受けを介して、ガントリ３０の固定フレーム３０ａに連結されている。固定フレーム３０ａは、不動の状態であり、静止したフレームである。回転フレーム３８は、回転駆動部１１２によって回転することができる。回転駆動部１１２は、回転フレーム３８の回転軸が水平方向になるようにガントリ３０内部に設置されている。
【００４１】
また、支持台２には、圧迫板１４が上下動可能に設置されている。また、支持台２には、圧迫板１４を上下させる回転つまみ５４が設置されている。回転つまみ５４を回転して圧迫板１４を降下させることにより、被検者の乳房を圧迫板１４と放射線検出部１２ｂで挟み込むことができる。
【００４２】
このように、支持台２は回転フレーム３８に設置され、支持台２は放射線検出部１２ａと放射線検出部１２ｂと圧迫板１４を支持する。回転駆動部１１２によって回転フレーム３８を支持台２とともに回転させることにより、放射線検出部１２ａと放射線検出部１２ｂを回転させることができる。また、回転駆動部１１２によって回転フレーム３８を回転させることにより、放射線発生部１０ａと放射線発生部１０ｂを回転させることができる。
【００４３】
図３に示すように、放射線発生部１０ａと放射線発生部１０ｂは、ほぼ同じ高さに設置されている。放射線検出部１２ａは、放射線検出部１２ｂよりも高い位置に設置されている。
【００４４】
言い換えれば、回転部（回転フレーム３８）の回転軸に対して、放射線発生部１０ａと放射線発生部１０ｂが同じ位置（同じ距離）となるように、放射線発生部１０ａと放射線発生部１０ｂが設置されている。
【００４５】
また、回転部（回転フレーム３８）の回転軸に対して、放射線検出部１２ａよりも放射線検出部１２ｂの方が外側に位置するように、放射線検出部１２ａと放射線検出部１２ｂが設置されている。
【００４６】
ＣＴ撮影を行う際に用いる放射線発生部１０ａと放射線検出部１２ａの間の距離は、マンモ撮影を行う際に用いる放射線発生部１０ｂと放射線検出部１２ｂの間の距離よりも短い。
【００４７】
マンモ撮影を行う際、被検者の乳房が圧迫板１４と放射線検出部１２ｂで挟み込まれる。当該圧迫により、被検者の乳房が潰れて平板状になるため、放射線を照射する面積を増やしてＦＯＶ（Ｆｉｅｌｄ  ｏｆ  ｖｉｅｗ：照射野）を確保しなければならない。そのため、マンモ撮影を行う際に用いる放射線検出部１２ｂは、ＣＴ撮影を行う際に用いる放射線検出部１２ａよりも低い位置に設置されている。
【００４８】
照射野８は、マンモ撮影用の放射線発生部１０ｂによる照射野である。放射線発生部１０ｂからの照射野８が圧迫板１４を含むように、放射線発生部１０ｂと放射線検出部１２ｂが設置されている。照射野８は、放射線発生部１０ｂの焦点を頂点として広がる四角錐形状（コーンビーム形状）となっている。図３に示すように、照射野８の一側端（左側）は、鉛直方向となっており、照射野８の他側端（右側）は斜め方向になっている。被検者の乳房周囲（腋窩）を撮影するために、マンモ撮影を行う被検者側（左側）の照射野８の端部（照射野端部、照射野端面）が鉛直方向となるように、放射線発生部１０ｂの照射野８が設定されている。
【００４９】
一方、ＣＴ撮影を行う際、回転フレーム３８の大きさ、乳房撮影装置１００（ガントリ３０）全体の大きさがコンパクトになるように、放射線発生部１０ａと放射線検出部１２ａが設置されている。具体的には、放射線発生部１０ａと放射線検出部１２ａの間の距離をできるだけ短くなるように設置されている。乳房保持部３４の直下に放射線検出部１２ａが設置されている。回転フレーム３８によって放射線検出部１２ａを回転しても、放射線検出部１２ａが乳房保持部３４に接触しない位置に放射線検出部１２ａが設置されている。
【００５０】
照射野６は、ＣＴ撮影用の放射線発生部１０ａによる照射野である。ＣＴ撮影を行う被検者の乳房は乳房保持部３４上に保持されており、圧迫されていない。放射線発生部１０ａからの照射野６が乳房保持部３４の先端部を含むように、放射線発生部１０ａと放射線検出部１２ａが設置されている。
【００５１】
照射野６は、放射線発生部１０ａの焦点を頂点として広がる四角錐形状（コーンビーム形状）となっている。図３に示すように、照射野６の一側端（右側）は、鉛直方向となっており、照射野６の他側端（左側）は斜め方向になっている。被検者の乳房周囲（腋窩）を撮影するために、ＣＴ撮影を行う被検者側（右側）の照射野６の端部（照射野端部、照射野端面）が鉛直方向となるように設定されている。
【００５２】
このように、マンモ撮影を行う被検者側（左側）の照射野８の端部（照射野端部、照射野端面）が鉛直方向となるように設定され、ＣＴ撮影を行う被検者側（右側）の照射野６の端部（照射野端部、照射野端面）が鉛直方向となるように設定されている。乳がんでは、乳房周囲（腋窩）への転移が起こる可能性がある。被検者の乳房周囲（腋窩）を撮影することができるように、ＣＴ撮影用の放射線発生部１０ａの照射野６とマンモ撮影用の放射線発生部１０ｂの照射野８とがそれぞれ設定されている。
【００５３】
なお、ＣＴ撮影を行う際、ＦＯＶ（Ｆｉｅｌｄ  ｏｆ  ｖｉｅｗ：照射野）を確保するために、ＣＴ撮影用の放射線発生部１０ａをマンモ撮影用の放射線発生部１０ｂよりも高い位置に設置してもよい。ＣＴ撮影を行う際、放射線発生部１０ａは放射線を焦点から発生させながら、放射線発生部１０ａと放射線検出部１２ａの回転を行う。
【００５４】
以上、本発明の乳房撮影装置１００は、放射線を発生させる第１の放射線発生部１０ａと、放射線を発生させる第２の放射線発生部１０ｂとを備える。また、乳房撮影装置１００は、第１の放射線発生部１０ａから照射された放射線を検出する第１の放射線検出部１２ａと、第２の放射線発生部１０ｂから照射された放射線を検出する第２の放射線検出部１２ｂとを備える。
【００５５】
そして、乳房撮影装置１００における第１の側から被検者の撮影対象部位を圧迫板１４と第１の放射線検出部１２ａとの間に挟んだ状態で第１の放射線発生部１０ａと第１の放射線検出部１２ａを用いて撮影する。また、乳房撮影装置１００における第１の側と反対の第２の側から被検者の撮影対象部位を第２の放射線発生部１０ｂと第２の放射線検出部１２ｂとの間に挿入させた状態で第２の放射線発生部１０ｂと第２の放射線検出部１２ｂを回転させて撮影する。
【００５６】
このように、乳房撮影装置１００は、ＣＴ撮影用とマンモ撮影用の２組の放射線発生部及び放射線検出部を備えている。よって、ＣＴ撮影を行う被検者の乳房とマンモ撮影を行う被検者の乳房のそれぞれに適したＦＯＶ（Ｆｉｅｌｄ  ｏｆ  ｖｉｅｗ：照射野）を確保することができる。
【００５７】
＜回転フレーム＞
乳房撮影装置１００は、回転フレーム３８を介して放射線発生部１０と放射線検出部１２を回転させる回転駆動部１１２を備えている。放射線発生部１０は、マンモ撮影用の放射線発生部１０ｂとＣＴ撮影用の放射線発生部１０ａを内部に有している。
【００５８】
図４は、乳房撮影装置１００でＣＣ（頭尾方向：Ｃａｒａｎｉｏ  Ｃａｕｄａｌ  ｖｉｅｗ）のマンモ撮影を行う形態を示している。放射線発生部１０ｂ、圧迫板１４、放射線検出部１２ｂが鉛直方向に並ぶように回転フレーム３８の位置が設定されている。
【００５９】
回転つまみ５４を回転させることにより、圧迫板１４を移動させ、圧迫板１４と放射線検出部１２ｂとの距離を調整することができる。圧迫板１４の移動により、被検者の乳房を圧迫することができる。図４に示すＣＣのマンモ撮影において、圧迫板１４と放射線検出部１２ｂとの間に配置された乳房は、圧迫板１４と放射線検出部１２ｂとの間で圧迫されて放射線撮影される。
【００６０】
回転駆動部１１２は、固定フレーム３０ａの内部に設置されている。回転駆動部１１２には、連結部材（例えば、ベルト）を介して回転フレーム３８が回転可能に接続されている。また、固定フレーム３０ａと回転フレーム３８の間隙にはベアリングが設定されている。回転駆動部１１２の駆動により、回転フレーム３８は固定フレーム３０ａに対して回転する。
【００６１】
図７は、乳房撮影装置１００の回転駆動部１１２によって、放射線発生部１０ｂと放射線検出部１２ｂを回転させた回転形態を示す図である。乳房撮影装置１００でＭＬＯ（内外斜方向：Ｍｅｄｉｏｌａｔｅｒａｌ  Ｏｂｌｉｑｕｅ  ｖｉｅｗ）のマンモ撮影を行う場合は、図７に示すように、図４の状態から回転フレーム３８を所定角度（例えば約６５度）回転させて停止した状態とする。なお、回転フレーム３８の停止状態の維持は、サーボでも行ってもブレーキで行ってもよい。図７に示すＭＬＯのマンモ撮影において、圧迫板１４と放射線検出部１２ｂとの間に配置された乳房は、圧迫板１４と放射線検出部１２ｂとの間で圧迫されて放射線撮影される。
【００６２】
また、ＣＴ撮影を行う際、回転駆動部１１２の駆動により、回転フレーム３８を固定フレーム３０ａに対して回転させる。具体的には、少なくとも１８０度、回転フレーム３８を回転させる。回転フレーム３８を回転させている時、放射線発生部１０ａは放射線を発生させ、放射線検出部１２ａは放射線を検出している。放射線検出部１２は被検者の乳房を透過した放射線を検出することにより、被検者の乳房についてＣＴ撮影を行うことができる。乳房撮影装置１００は、撮影された放射線データを再構成することにより、ＣＴ画像を生成することができる。
【００６３】
＜フロントカバー＞
乳房撮影装置１００のガントリ３０にはフロントカバー２６が着脱可能に設置されている。言い換えれば、フロントカバー２６はリング状の固定フレーム３０ａに着脱可能に設置されている。具体的には、フロントカバー２６の突起部が固定フレーム３０ａの枠体（溝部）に嵌合することにより、フロントカバー２６が固定フレーム３０ａに装着される。
【００６４】
図２は、乳房撮影装置１００のガントリ３０にフロントカバー２６が取り付けられた形態を示す。図８は、乳房撮影装置１００のガントリ３０からフロントカバー２６が取り外された形態を示す。
【００６５】
図８に示すように、ガントリ３０からフロントカバー２６が取り外されると、操作者は、ＣＴ撮影側から回転フレーム３８の中空部を経由して、マンモ撮影を行う被検者の乳房にアクセスすることができる。マンモ撮影において、乳房撮影装置１００の放射線検出部１２ｂと圧迫板１４の間に配置された乳房について位置調整と圧迫調整を行うことができる。
【００６６】
ガントリ３０における固定フレーム３０ａは、リング状であるため、フロントカバー２６は円形である。フロントカバー２６は、放射線発生部１０と放射線検出部１２の回転に対して不動となる部材に固定されていればよい。
【００６７】
フロントカバー２６には被検者の乳房を挿入させるための開口２０が設置されている。具体的には、図２に示すように、フロントカバー２６の中心部には、被検者の乳房を挿入させるための円形の開口２０が設置されている。
【００６８】
フロントカバー２６は、放射線を遮蔽する遮蔽部材で構成される。ＣＴ撮影又はマンモ撮影の際、散乱した放射線がフロントカバー２６を透過しないようになっている。つまり、ＣＴ撮影側に散乱した放射線が届かないようになっている。また、フロントカバー２６は、半透明な部材である。フロントカバー２６は半透明であるため、ガントリ３０にフロントカバー２６が設置されていても、ＣＴ撮影側から放射線発生部１０や放射線検出部１２の位置を確認することができる。
【００６９】
また、図３、図４に示すように、フロントカバー２６には、開口２０から挿入された乳房を保持するための保持台としての乳房保持部３４が設置されている。乳房保持部３４は、透明な部材であり、放射線を透過する部材である。乳房保持部３４は、フロントカバー２６の開口２０の周囲に沿って形成されている。乳房保持部３４は、フロントカバー２６の開口２０から撮影部１０２側に突出して形成されている。
【００７０】
乳房保持部３４は中空であり、乳房の形状に合わせて湾曲している。乳房保持部３４の一部（下側）は、お椀形状になっており、乳房保持部３４の一部（上側）は開いた形態になっている。乳房保持部３４は、操作者がマンモ撮影側から乳房にアクセスするための開口部３４ａを有している。
【００７１】
乳房保持部３４は、乳房の下側を保持する形状となっている。乳房保持部３４は、乳房の形状を保ったまま保持することができる。乳房保持部３４は、乳房を圧迫はしない。
【００７２】
図４に示すように、乳房保持部３４の一部（上側）は開いた形態になっているため、マンモ撮影側から操作者がＣＴ撮影を行う被検者の乳房にアクセスすることができるようになっている。つまり、マンモ撮影側から操作者が乳房保持部３４に保持された被検者の乳房にアクセスすることができるようになっている。
【００７３】
フロントカバー２６に対して乳房保持部３４は着脱可能になっている。ここでは、様々なサイズの形状の乳房保持部３４を用意しておくことができる。つまり、操作者は乳房保持部３４を複数用意しておくことがきる。例えば、被検者の乳房の大きさに応じて、乳房保持部３４を取り替えることができる。
【００７４】
ガントリ３０に固定されたフロントカバー２６と乳房保持部３４は、ＣＴ撮影中に回転する放射線発生部１０や放射線検出部１２と、被検者の空間を分離している。被検者の乳房は、乳房保持部３４に保持されるので撮影中は固定されていることになる。
【００７５】
乳房保持部３４がフロントカバー２６の開口２０の周囲に沿って接続された例を示したがこれに限られるものではない。たとえば、乳房保持部３４は、ガントリ３０の固定フレーム３０ａに連結されていてもよい。
【００７６】
また、ガントリ３０には挿入部２４ａと挿入部２４ｂが設置されている。挿入部２４ａと挿入部２４ｂは、フロントカバー２６を取り外す際に操作者の手を挿入する個所であり、ガントリ３０の固定フレーム３０ａに沿って設置されている。挿入部２４ａと挿入部２４ｂは、ガントリ３０の固定フレーム３０ａの左右２箇所に設置されている。挿入部２４ａと挿入部２４ｂは、ガントリ３０の中心線（一点鎖線）に対して、線対称となるように設置されている。
【００７７】
操作者は、挿入部２４ａと挿入部２４ｂに手を入れて、フロントカバー２６を手前方向に引っ張ることにより、フロントカバー２６を取り外すことができる。マンモ撮影の際にフロントカバー２６を取り外すことにより、被検者の乳房へのアクセスが容易になる。
【００７８】
逆に、操作者は、ガントリ３０の固定フレーム３０ａに対し、フロントカバー２６を奥方向に押し込むことにより、フロントカバー２６をガントリ３０に取り付けることができる。
【００７９】
なお、フロントカバー２６は、ＣＴ撮影を行う被検者側からは不透明であり、マンモ撮影側の操作者側からは透明であるようにしてもよい。被検者側からフロントカバー２６を不透明とすることによりフロントカバー２６越しに放射線発生部１０や放射線検出部１２が動くことによる恐怖心を回避することができる。
【００８０】
図２、図８に示すように、フロントカバー２６には、ＣＴ撮影側に光を照射する第１照明部１２０が設置されている。例えば、フロントカバー２６の円周方向に沿って、第１照明部１２０が設置されている。また、ＣＴ撮影側のガントリ３０（固定フレーム３０ａ、長円筒部３０ｂ）に第１照明部１２０が設置されていてもよい。すなわち、ＣＴ撮影側の乳房撮影装置１００から光が照射されるように第１照明部１２０が設置されている。図２に示す乳房撮影装置１００の手前側に光が照射されるようになっていればよい。第１照明部１２０から照射される光は、点灯形態、点滅形態どちらであってもよい。照明部については、図示はしないが、制御部１１０が制御する。
【００８１】
ＣＴ撮影を行う際には、制御部１１０は第１照明部１２０から光を照射させる。ＣＴ撮影を行う際には、第１照明部１２０によってＣＴ撮影側へ光が照射される。よって、ＣＴ撮影を予定している被検者は、乳房撮影装置のどちら側で撮影するのかを認識することができる。
【００８２】
ＣＴ撮影中には、第１照明部１２０はＣＴ撮影側に照射されていた光を消す。ＣＴ撮影中とは、放射線発生部１０と放射線検出部１２が回転してＣＴ撮影が行われている期間である。つまり、ＣＴ撮影中には第１照明部１２０から光が照射されない。
【００８３】
放射線発生部１０には、ＣＴ撮影側に光を照射する第２照明部１２２が設置されている。制御部１１０は第２照明部１２２から光を照射させる。第２照明部１２２から照射される光は、点灯形態である。第２照明部１２２から照射される光が点灯形態であるため、放射線発生部１０や放射線検出部１２が回転していても、放射線発生部１０や放射線検出部１２の位置を確認できるようになっている。
【００８４】
また、フロントカバー２６は半透明であるため、第２照明部１２２から照射される光はＣＴ撮影側に照射されることになる。放射線発生部１０と放射線検出部１２が回転しているＣＴ撮影中には、放射線発生部１０は放射線を発生させるとともに、第２照明部１２２から光を照射する。操作者は、回転している放射線発生部１０や放射線検出部１２の位置をＣＴ撮影側から確認することができる。よって、操作者は、放射線発生部１０や放射線検出部１２の位置をＣＴ撮影側から確認することにより、どのくらい放射線発生部１０が回転すればＣＴ撮影が終了するかを認識することができる。なお、放射線発生部１０には、ＣＴ撮影側に光を照射する第２照明部１２２が設置されている形態を示したが、放射線検出部１２に第２照明部１２２を設置してもよい。
【００８５】
放射線発生部１０と放射線検出部１２が回転してＣＴ撮影が終了すると、制御部１１０は第１照明部１２０から光を照射させる。第１照明部１２０によってＣＴ撮影側へ光が照射される。よって、操作者と被検者は、ＣＴ撮影が終了したことを認識することができる。
【００８６】
また、図７に示すように、放射線発生部１０、放射線検出部１２、圧迫板１４には、マンモ撮影側に光を照射する第３照明部１２４が設置されている。また、マンモ撮影側のガントリ３０（固定フレーム３０ａ、長円筒部３０ｂ）に第３照明部１２４が設置されていてもよい。すなわち、マンモ撮影側の乳房撮影装置から光が照射されるように第３照明部１２４が設置されている。図７に示す乳房撮影装置の手前側に光が照射されるようになっていればよい。第３照明部１２４から照射される光は、点灯形態、点滅形態どちらであってもよい。
【００８７】
マンモ撮影を行う際には、制御部１１０は第３照明部から光を照射させる。マンモ撮影を行う際には、第３照明部１２４によってマンモ撮影側へ光が照射される。よって、マンモ撮影を予定している被検者は、乳房撮影装置のどちら側で撮影するのかを認識することができる。
【００８８】
図９は、乳房保持部３４に保持された被検者の乳房を保護するための保護カバー３４ｂが乳房保持部３４に設置された形態を示す。
【００８９】
乳房保持部３４は、操作者がマンモ撮影側から乳房にアクセスするための開口部３４ａを有している。乳房保持部３４の上側は、開いている。
【００９０】
ＣＴ撮影を行う際、回転駆動部１１２の駆動により、放射線発生部１０ａと放射線検出部１２ａを回転させる。乳房保持部３４は放射線検出部１２ａに近接して配置されているため、開口部３４ａの近傍を放射線検出部１２ａが通過することとなる。そのため、仮に開口部３４ａから乳房がはみ出ている場合、乳房保持部３４に保持されている乳房が回転している放射線検出部１２ａと接触してしまう可能性がある。
【００９１】
そこで、本発明の乳房撮影装置１００では、乳房保持部３４に乳房を保護するための保護カバー３４ｂを備える。乳房保持部３４の開口部３４ａの外縁と保護カバー３４ｂの外縁は一致している。乳房保持部３４に保護カバー３４ｂが嵌合して装着される。保護カバー３４ｂは、乳房保持部３４の下側の形状と同様に、お椀形状になっている。保護カバー３４ｂによって、乳房保持部３４の開口部３４ａを覆うことができる。つまり、保護カバー３４ｂによって開口部３４ａから乳房がはみ出すことを制限することができる。よって、乳房保持部３４に保持されている乳房が回転している放射線検出部１２ａと接触してしまう可能性を低減させることができる。
【００９２】
保護カバー３４ｂは、保護カバー３４ｂを取り外すための挿入部３４ｃが設置されている。挿入部３４ｃは、保護カバー３４ｂを取り外す際に操作者の指を挿入する個所であり、保護カバー３４ｂの外縁に設置されている。
【００９３】
操作者は、挿入部３４ｃに指を入れて、保護カバー３４ｂを手前方向に引っ張ることにより、保護カバー３４ｂを取り外すことができる。ＣＴ撮影を行う前に保護カバー３４ｂを取り外すことにより、ＣＴ撮影を行う被検者の乳房へのアクセスが容易になる。逆に、操作者は、乳房保持部３４の開口部３４ａに対し、保護カバー３４に押し込むことにより、保護カバー３４ｂを取り付けることができる。
【００９４】
以上、本発明の乳房撮影装置１００のガントリ３０には、ＣＴ撮影時に回転する放射線発生部１０と放射線検出部１２から被検者を保護するフロントカバー２６が着脱可能に設置されている。また、フロントカバー２６は、被検者の乳房を挿入するための開口２０と、開口２０から挿入された被検者の乳房を保持する乳房保持部３４を有している。よって、ＣＴ撮影時に回転する放射線発生部１０と放射線検出部１２から被検者を保護することができる。
【００９５】
＜支持脚部（切り欠き部）＞
図１０は、乳房撮影装置１００の支持脚部４０を示す図である。図２〜図４、図１０に示すように、乳房撮影装置１００は、撮影部１０２を回転可能に支持するガントリ３０と、床面に対して乳房撮影装置１００（ガントリ３０）を支持する支持脚部４０とを備えている。支持脚部４０は、乳房撮影装置１００（ガントリ３０）を鉛直方向に支持する。
【００９６】
支持脚部４０は、水平面に直交する方向（鉛直方向）に伸張して形成された長円筒部４２と、長円筒部４２と連結され、乳房撮影装置１００（ガントリ３０）を安定して支持するための台座部４６とからなる。台座部４６は、床面に接触する部材である。支持脚部４０における長円筒部４２と台座部４６は、一体化されている。長円筒部４２には、ガントリ３０が連結されている。
【００９７】
台座部４６は、床面に接している。台座部４６は、長円筒部４２の周囲形状に合わせて形成されている。長円筒部４２は２つの半円を直線でつないだ長円形状の筒状形態である。長円筒部４２は長円形状の筒状形態であるため、台座部４６は長円形状に形成されている。長円筒部４２と台座部４６は互いに相似関係となっている。
【００９８】
具体的には、長円筒部４２の底面部の周囲から外側にはみ出す（突出する）ように、台座部４６が形成されている。言い換えれば、長円筒部４２の底面部の周囲から外側に均等にはみ出すように、台座部４６が形成されている。台座部４６は、長円筒部４２の底面部の周囲から外側に一定幅（例えば、１０ｃｍ〜３０ｃｍ程度）はみ出すように形成されている。
【００９９】
台座部４６の床面との接触面積は、長円筒部４２の底面部の面積よりも面積が広くなっている。台座部４６によって長円筒部４２の底面部を拡径することにより、乳房撮影装置１００は床面との接触面積を増やすことができる。台座部４６によって、乳房撮影装置１００（ガントリ３０）の設置バランスを保つことができ、乳房撮影装置１００（ガントリ３０）を安定して支持することができる。
【０１００】
また、図１０に示すように、床面に対して乳房撮影装置１００を支持する支持脚部４０は、被検者の足を挿入するための切り欠き部４８を有している。切り欠き部４８は、凹形状である。図１０（ａ）は、支持脚部４０における切り欠き部４８を示した図である。図１０（ｂ）は、台座部４６の底面部を示す図であり、被検者の足の設置位置を示している。
【０１０１】
図１０に示すように、切り欠き部４８には、被検者の足の先端部（つま先）が挿入される。切り欠き部４８は、被検者の両足の先端部（つま先）が入ることができる程度開口されている。具体的には、切り欠き部４８は、所定側の台座部４６の一部が切り取られて形成されている。言い換えれば、切り欠き部４８は、所定側の台座部４６の内側に穴部が形成されたようになっている。例えば、切り欠き部４８の奥行き深さは約２０ｃｍであり、切り欠き部４８の高さは床面から約１０ｃｍである。なお、切り欠き部４８は、所定側の長円筒部４２の一部が台座部４６とともに切り取られて形成されていてもよい。所定側とは、ＣＴ撮影を行う際に被検者が配置されるＣＴ撮影側である。ＣＴ撮影側とは、図２の乳房撮影装置１００では、手前側であり、図３の乳房撮影装置１００では、右側である。
【０１０２】
図３に示すように、ＣＴ撮影を行う場合、被検者の乳房をフロントカバー２６の開口２０に挿入させた状態で放射線発生部１０と放射線検出部１２を回転フレーム３８で回転させて撮影する。ＣＴ撮影を行う場合、被検者は乳房撮影装置１００側を向き、フロントカバー２６に被検者の上半身が張り付いた形態になる。
【０１０３】
フロントカバー２６の端面から下側に垂線を下ろすと、台座部４６に到達する。そのため、仮に、台座部４６に切り欠き部４８がないと被検者の足を台座部４６の上に置かなければならない。被検者は不安定な状態でＣＴ撮影を行うことになる。
【０１０４】
そこで、本発明の乳房撮影装置１００では、台座部４６には被検者の足を挿入するための切り欠き部４８が設けられている。切り欠き部４８は、台座部４６において床面がむき出しになるように形成されている。そのため、被検者は切り欠き部４８に足を挿入して、足を床面に設置することにより、被検者は乳房撮影装置１００に向いた状態で、姿勢を保つことができる。被検者は安定した状態でＣＴ撮影を行うことができる。
【０１０５】
また、乳房撮影装置１００（ガントリ３０）の設置バランスを考慮して、切り欠き部４８は、所定側と反対側の台座部４６を切り欠いていない。言い換えれば、乳房撮影装置１００（ガントリ３０）の設置バランスを失うことがないように、支持脚部４０に切り欠き部４８が形成されている。
【０１０６】
台座部４６はＣＴ撮影側とマンモ撮影側で同じようにせり出している。台座部４６においてせり出されている箇所を確保しつつ、ＣＴ撮影側の台座部４６には被検者の足を挿入するための切り欠き部４８が設けられている。
【０１０７】
図１０（ｂ）に示すように、長円筒部４２と台座部４６は、乳房撮影装置１００の上から見ると、２つの半円を直線でつないだ長円形状であり、一部が切り欠かれている。切り欠き部４８は、長円形状である長円筒部４２の内、ＣＴ撮影側の直線部分が切り欠かれた形態となっている。また、切り欠き部４８は、長円形状である台座部４６の内、ＣＴ撮影側の直線部分が切り欠かれた形態となっている。なお、台座部４６の半円形状の部分は、切り欠かれていない。つまり、乳房撮影装置１００（ガントリ３０）の設置バランスに必要な台座部４６の周囲部（隅部）が残るように（台座部４６の周囲部（隅部）が確保されるように）、切り欠き部４８が形成されている。
【０１０８】
図１０（ｂ）に示すように、切り欠き部４８は、切り欠き部４８の奥端面から拡開して形成されている。切り欠き部４８は、線対称（左右対称）になるように形成されている。切り欠き部４８は、乳房撮影装置１００の上から見ると、２つの傾斜面４８ａと傾斜面４８ｂとから略台形形状となるように形成されている。傾斜面４８ａと傾斜面４８ｂは、切り欠き部４８の奥端面に対してそれぞれ傾斜しており、床面に対しては直交している。
【０１０９】
被検者の右側の乳房についてＣＴ撮影を行う際、切り欠き部４８の傾斜面４８ａには、被検者の右足ＰＲが接するように設置される。被検者はフロントカバー２６に対して右斜め前の姿勢になることができ、右側の乳房を左側の乳房よりもフロントカバー２６に近く設置することができる。よって、フロントカバー２６に設置されている開口２０に右側の乳房を挿入し易くなり、姿勢を崩すことなく安定してＣＴ撮影を行うことができる。
【０１１０】
同様にして、被検者の左側の乳房についてＣＴ撮影を行う際、切り欠き部４８の傾斜面４８ｂには、被検者の左足ＰＬが接するように設置される。被検者はフロントカバー２６に対して左斜め前の姿勢になることができ、左側の乳房を右側の乳房よりもフロントカバー２６に近く設置することができる。よって、フロントカバー２６に設置されている開口２０に左側の乳房を挿入し易くなり、姿勢を崩すことなく安定してＣＴ撮影を行うことができる。
【０１１１】
また、上述したように、ＣＴ撮影側の台座部４６には被検者の足を挿入するための切り欠き部４８が設けられている。一方、図２〜図４に示すように、マンモ撮影を行う際に被検者が配置されるマンモ撮影側の台座部４６には被検者の足を挿入するための切り欠き部４８が設けられていない。言い換えれば、マンモ撮影側には切り欠き部４８が支持脚部４０に設けられていない。つまり、ＣＴ撮影側（右側）のみ、支持脚部４０に切り欠き部４８が設けられている。これは、マンモ撮影側は、放射線発生部１０ｂ、放射線検出部１２ｂ、圧迫板１４等の構成要素がマンモ撮影側（左側）、すなわちマンモ撮影を行う被検者側（左側）にせり出しているためである。放射線発生部１０ｂ、放射線検出部１２ｂ、圧迫板１４等の構成要素が台座部４６よりもマンモ撮影を行う被検者側（左側）にせり出している。よって、マンモ撮影側の台座部４６に切り欠き部４８を設ける必要がない。
【０１１２】
以上、本発明の乳房撮影装置１００は、ガントリ３０を床面に対して支持する支持脚部４０を備える。支持脚部４０は、被検者の足を挿入するための切り欠き部４８を有している。
【０１１３】
被検者の撮影対象部位を放射線発生部１０と放射線検出部１２との間に挿入させた状態で放射線発生部１０と放射線検出部１２を回転させて撮影する。その際に被検者が配置されるＣＴ撮影側の支持脚部４０には、被検者の足を挿入するための切り欠き部４８が形成されている。
【０１１４】
また、被検者の撮影対象部位を圧迫板１４と放射線検出部１２との間に挟んだ状態で放射線発生部１０と放射線検出部１２を用いて撮影する際に被検者が配置されるマンモ撮影側の支持脚部４０には、被検者の足を挿入するための切り欠き部が形成されていない。よって、被検者はそれぞれの撮影に適した姿勢をとることができる。患者の乳房を適切に保持した状態でＣＴ撮影を行うことができる。
【０１１５】
＜把持部＞
図２に示すように、ＣＴ撮影側のガントリ３０には、ＣＴ撮影を行う被検者が把持するための複数の把持部２２ａ、２２ｂ、２２ｃ、２２ｄが形成されている。具体的には、複数の把持部２２ａ、２２ｂ、２２ｃ、２２ｄは、ガントリ３０における回転フレーム３８を回転可能に支持するリング状の固定フレーム３０ａの外縁の円周方向に沿ってそれぞれ形成されている。また、固定フレーム３０ａと固定フレーム３０ａに設置されたフロントカバー２６との接合部の近傍に複数の把持部２２ａ、２２ｂ、２２ｃ、２２ｄが形成されている。
【０１１６】
固定フレーム３０ａにおいて、把持部２２ａが右上、把持部２２ｂが右下、把持部２２ｃが左上、把持部２２ｄが左下に設置されている。図示はしないが、固定フレーム３０ａにおいて、把持部が真上に設置されていてもよい。
【０１１７】
複数の把持部２２ａ、２２ｂ、２２ｃ、２２ｄは、凹形状の把持部であり、リング状の固定フレーム３０ａ上に形成されている。把持部２２は、被検者の指先が引っ掛かる程度に窪んでいる。
【０１１８】
図１１は、ＣＴ撮影を行う被検者Ｐの撮影形態を示す図である。被検者Ｐは、複数の把持部２２ａ、２２ｂ、２２ｃ、２２ｄの内、少なくとも１つの把持部を把持する。図１１に示すように、被検者Ｐは、ガントリ３０の上側の把持部２２ａと把持部２２ｄを把持することができる。このとき、切り欠き部４８には、被検者Ｐの足の先端部（つま先）が挿入される。被検者Ｐは、ガントリ３０側に被検者Ｐの体を引きつけることにより、被検者Ｐの体を支えることができる。
【０１１９】
図４に示すように、マンモ撮影側のガントリ３０には、マンモ撮影を行う被検者が把持するための把持部７０が設置されている。把持部７０は、リング状の固定フレーム３０ａの外縁の円周方向に沿って設置されている。具体的には、把持部７０は、固定フレーム３０ａにおける２つの支持点から突出して形成されている。支持点は、固定フレーム３０ａの下側に位置している。把持部７０における２つの支持点の距離は、放射線発生部１０ｂ若しくは放射線検出部１２ｂの幅より長い。また、把持部７０における２つの支持点の距離は、支持台２の幅よりも長い。
【０１２０】
把持部７０は、棒状の部材であり、固定フレーム３０ａにおける２つの支持点を結ぶアーチ形状となるように設置されている。把持部７０は、いわゆる手摺のような部材である。把持部７０は湾曲している。具体的には、把持部７０は下側に湾曲している。これは、放射線発生部１０と放射線検出部１２を回転しても、放射線発生部１０と放射線検出部１２が把持部７０に干渉（衝突）しないようにするためである。
【０１２１】
また、固定フレーム３０ａとアーチ部分の把持部７０の間には、隙間がある。この隙間は数ｃｍ程度である。固定フレーム３０ａとアーチ部分の把持部７０の間に隙間があるため、被検者は、両手で把持部７０を把持することができる。
【０１２２】
図１２は、マンモ撮影を行う被検者Ｐの撮影形態を示す図である。被検者Ｐは、両手で把持部７０を把持する。そして、ガントリ３０側に被検者Ｐの体を引きつけることにより、被検者Ｐの体を支えることができる。
【０１２３】
把持部７０における２つの支持点の距離が放射線発生部１０ｂ若しくは放射線検出部１２ｂの幅より長いため、放射線発生部１０と放射線検出部１２が回転しても、把持部７０が放射線発生部１０と放射線検出部１２によって隠れない。また、放射線発生部１０と放射線検出部１２が回転しても、被検者は、把持部７０を把持することができる。
【０１２４】
ＣＴ撮影側の複数の把持部２２ａ、２２ｂ、２２ｃ、２２ｄとマンモ撮影側の把持部７０は、それぞれ形状が異なる。ＣＴ撮影側の把持部２２ａ、２２ｂ、２２ｃ、２２ｄは、ガントリ３０に対して窪んでいる形態であるのに対して、マンモ撮影側の把持部７０はガントリ３０に対して突出している形態である。
【０１２５】
ＣＴ撮影側は、フロントカバー２６に被検者の上半身を密着させ、撮影対象部位である被検者の乳房を開口２０に挿入させる必要がある。そこで、フロントカバー２６に密着した被検者に邪魔にならないように、ＣＴ撮影側の把持部２２ａ、２２ｂ、２２ｃ、２２ｄがガントリ３０に対して突出しないようになっている。ＣＴ撮影側の把持部２２ａ、２２ｂ、２２ｃ、２２ｄは凹形状に形成されている。
【０１２６】
マンモ撮影側は、フロントカバー２６に被検者の上半身を密着させることはない。ガントリ３０から突出した圧迫板１４と放射線検出部１２との間に被検者の乳房を挿入させて挟む必要がある。また、被検者の乳房が圧迫された状態で被検者の体を支える必要がある。そこで、マンモ撮影側の把持部７０は、ガントリ３０に対して突出するようになっている。マンモ撮影側の把持部７０は凸形状に形成されている。
【０１２７】
以上、本発明の乳房撮影装置１００の第１の側のガントリ３０には、被検者が把持する第１の把持部７０が設けられ、第１の側と反対の第２の側のガントリ３０には、第１の把持部７０と形状が異なる第２の把持部２２が設けられている。第１の把持部７０はガントリ３０に対して凸形状に形成され、第２の把持部２２はガントリ３０に対して凹形状に形成されている。
【０１２８】
よって、マンモ撮影を行う被検者、ＣＴ撮影を行う被検者は、当該第１の把持部７０、第２の把持部２２を適宜把持することにより、被検者は撮影に適した姿勢をとることができる。
【０１２９】
＜操作部＞
図２、図４に示すように、乳房撮影装置の操作を行う操作部５０は、ガントリ３０に設置されている。操作部５０は、乳房撮影装置において回転しない構成要素に設置されている。操作部５０は、ガントリ３０における固定フレーム３０ａの左右側面にそれぞれ設置されている。具体的には、操作部５０は操作部５０ａと操作部５０ｂとからなる。操作部５０ａと操作部５０ｂは固定フレーム３０ａの右端と左端にそれぞれ設置されている。図５に示すように、操作部５０（操作部５０ａと操作部５０ｂ）は、それぞれ制御部１１０に接続されている。
【０１３０】
図４に示すように、乳房撮影装置の操作を行う操作部５２（操作部５２ａと操作部５２ｂ）は、回転フレーム３８に設置されている支持台２に設置されている。つまり、操作部５２は、乳房撮影装置において回転する構成要素に設置されている。本実施例では、操作部５２は、支持台２の左右側面に設置されている。具体的には、操作部５２は操作部５２ａと操作部５２ｂとからなる。操作部５２ａと操作部５２ｂは支持台２の左右側面にそれぞれ設置されている。図５に示すように、操作部５２（操作部５２ａと操作部５２ｂ）は、それぞれ制御部１１０に接続されている。
【０１３１】
ガントリ３０に設置される操作部５０と支持台２に設置される操作部５２は、同じボタン構成となっている。操作部５０と操作部５２は同じ機能を有している。操作部５０と操作部５２は、圧迫板１４を上下させるボタンと、放射線発生部１０や放射線検出部１２を回転させるボタンとからなる。これらのボタンは操作者が指で押すボタンである。
【０１３２】
図１３は、操作部５０と操作部５２のボタン構成を示す図である。具体的には、操作部５０と操作部５２は、上ボタン５４と、下ボタン５６、ホームポジションボタン５８、右回転ボタン６０、左回転ボタン６２とならなる。それぞれのボタンは、制御部１１０に接続されており、各種制御を行うことができる。操作部５０と操作部５２は、主にマンモ撮影の際に用いられる。
【０１３３】
上ボタン５４は、圧迫板１４を上方向（放射線発生部１０側）に移動させるボタンである。下ボタン５６は、圧迫板１４を下方向（放射線検出部１２側）に移動させるボタンである。
【０１３４】
右回転ボタン６０は、回転フレーム３８を右回転させ、放射線発生部１０や放射線検出部１２を右回転させるボタンである。左回転ボタン６２は、回転フレーム３８を左回転させ、放射線発生部１０や放射線検出部１２を左回転させるボタンである。
【０１３５】
操作者は右回転ボタン６０を押すと、制御部１１０は回転駆動部１１２を用いて放射線発生部１０と放射線検出部１２を右回転させる。具体的には、操作者は右回転ボタン６０を１回押すと、制御部１１０は放射線発生部１０と放射線検出部１２を右方向に１回転させる。回転前の放射線発生部１０と放射線検出部１２の位置と回転後の放射線発生部１０と放射線検出部１２の位置は同じとなる。
【０１３６】
また、操作者は右回転ボタン６０を長押しすると、制御部１１０は回転駆動部１１２を用いて放射線発生部１０と放射線検出部１２を低速で右回転させる。右回転ボタン６０を長押しによる放射線発生部１０と放射線検出部１２の回転速度は、上述した１回転させた回転速度、ＣＴ撮影時の回転速度よりも低速である。操作者は右回転ボタン６０から指を離すと、その位置で制御部１１０は放射線発生部１０と放射線検出部１２を制止させ、放射線発生部１０と放射線検出部１２の回転が停止する。
【０１３７】
同様にして、操作者は左回転ボタン６２を押すと、制御部１１０は回転駆動部１１２を用いて放射線発生部１０と放射線検出部１２を左回転させる。具体的には、操作者は左回転ボタン６２を１回押すと、制御部１１０は放射線発生部１０と放射線検出部１２を左方向に１回転させる。回転前の放射線発生部１０と放射線検出部１２の位置と回転後の放射線発生部１０と放射線検出部１２の位置は同じとなる。
【０１３８】
また、操作者は左回転ボタン６２を長押しすると、制御部１１０は回転駆動部１１２を用いて放射線発生部１０と放射線検出部１２を低速で左回転させる。操作者は左回転ボタン６２から指を離すと、その位置で制御部１１０は放射線発生部１０と放射線検出部１２を制止させ、放射線発生部１０と放射線検出部１２の回転が停止する。
【０１３９】
右回転ボタン６０若しくは左回転ボタン６２の長押しは、マンモ撮影（ＭＬＯ）における放射線発生部１０と放射線検出部１２の角度設定に最適である。
【０１４０】
ホームポジションボタン５８は、放射線発生部１０や放射線検出部１２を右回転若しくは左回転させ、図４に示すように、放射線発生部１０を上側の位置に放射線検出部１２を下側の位置に移動させるボタンである。ホームポジションは、放射線発生部１０が上側の位置に放射線検出部１２が下側の位置に移動させた状態であり、放射線発生部１０と放射線検出部１２が垂線方向に入れ列される状態である。ホームポジションは、マンモ撮影におけるＣＣ撮影の状態になる。
【０１４１】
ホームポジションボタン５８が押されると、放射線発生部１０と放射線検出部１２が傾いていても、制御部１１０は回転駆動部１１２を用いて放射線発生部１０や放射線検出部１２をホームポジションになるように回転させる。制御部１１０は放射線発生部１０や放射線検出部１２を低速で右回転若しくは左回転させる。ホームポジションになる回転は、上述した１回転させた回転速度、ＣＴ撮影で放射線発生部１０や放射線検出部１２が回転する回転速度よりも低速である。
【０１４２】
なお、操作部５０は、ガントリ３０を上下させるガントリ上下ボタンを有していてもよい。ガントリ上下ボタンが押されると、制御部１１０は、上述した上下駆動部を用いてガントリ３０を上下動させることができる。被検者の身長に合わせて、ガントリ３０の高さを調整することができる。
【０１４３】
以上、本発明の乳房撮影装置１００におけるガントリ３０には、乳房撮影装置１００を操作する第１の操作部５０が設けられ、放射線検出部１２を支持する支持台２には、第１の操作部５０と同じ機能を持つ第２の操作部５２が設けられる。
【０１４４】
よって、操作者は、被検者の撮影形態に合わせて乳房撮影装置１００の操作部で操作を行うことができる。
【０１４５】
＜操作卓＞
図１４は、操作者が操作する操作卓９０を示す図である。操作卓９０は撮影室外に設置される。操作卓９０は、操作部５０と操作部５２と同様に、圧迫板１４を上下させるボタンと、放射線発生部１０や放射線検出部１２を回転させるボタンとからなる。図５に示すように、操作卓９０は、制御部１１０に接続されている。
【０１４６】
操作卓９０において、操作部５０と操作部５２と異なる点は、ＣＴ撮影に関するボタンと表示部９４が設置されている点である。操作部５０と操作部５２には、マンモ撮影に関するボタンが設置されているのに対して、操作卓９０には、マンモ撮影に関するボタンとＣＴ撮影に関するボタンが設置されている。
【０１４７】
操作卓９０に設置されたＣＴ撮影に関するボタンを押すと、制御部１１０は、放射線発生部１０や放射線検出部１２を回転させてＣＴ撮影を行うことができる。
【０１４８】
また、上述した通り、乳房撮影装置１００は、圧迫板１４と放射線検出部１２との間に被検者の乳房を挟んだ状態で、マンモ撮影を行うことができる。乳房撮影装置１００の制御部１１０は、撮影された放射線データに基づいてマンモ画像を生成する。操作卓９０における表示部９４は、生成されたマンモ画像を表示する。
【０１４９】
また、乳房撮影装置１００は、放射線発生部１０や放射線検出部１２を回転させてＣＴ撮影を行うことができる。乳房撮影装置１００の制御部は、撮影された放射線データを再構成することにより、ＣＴ画像を生成することができる。操作卓９０における表示部９４は、生成されたＣＴ画像を表示する。
【０１５０】
なお、本発明の乳房撮影装置１００は、ＣＴ撮影用とマンモ撮影用の２組の放射線発生部及び放射線検出部を備えている例を説明したが、１組の放射線発生部及び放射線検出部を用いて、ＣＴ撮影とマンモ撮影を実現することも可能である。具体的には、乳房撮影装置１００は、ＣＴ撮影とマンモ撮影によって放射線発生部及び放射線検出部を移動させる移動機構（図示しない。）を設ける。例えば、ＣＴ撮影では、放射線発生部を図３に示す１０ａの位置に移動させ、放射線検出部を１２ａの位置に移動させる。マンモ撮影では、放射線発生部を１０ｂの位置に移動させ、放射線検出部を図３に示す１２ｂの位置に移動させる。
【符号の説明】
【０１５１】
１０（１０ａ、１０ｂ）  放射線発生部
１２（１２ａ、１２ｂ）  放射線検出部
１４  圧迫板
２０  開口
２２ａ、２２ｂ、２２ｃ、２２ｄ  ＣＴ撮影側の把持部
２６  フロントカバー
３０  ガントリ
３０ａ  固定フレーム
３０ｂ  長円筒部
３４  乳房保持部
４０  支持脚部
４２  長円筒部
４６  台座部
４８  切り欠き部
５０  操作部
７０  マンモ撮影側の把持部
【図１】
2017012447.tif 000003
【図２】
2017012447.tif 000004
【図３】
2017012447.tif 000005
【図４】
2017012447.tif 000006
【図５】
2017012447.tif 000007
【図６】
2017012447.tif 000008
【図７】
2017012447.tif 000009
【図８】
2017012447.tif 000010
【図９】
2017012447.tif 000011
【図１０】
2017012447.tif 000012
【図１１】
2017012447.tif 000013
【図１２】
2017012447.tif 000014
【図１３】
2017012447.tif 000015
【図１４】
2017012447.tif 000016